(57)【要約】【課題】  瓶や樽若しくは壜より容易に移酒でき且貯留された酒を長時に安定して保持し而もフレーバーを増長せしめ簡便に分注できる酒の分注器を提供する。【解決手段】  食品衛生上安全で芳香性と抗菌性を有する木板材を用い、四角形若しくは六角形或いは八角形に形成された底板と、該底板の一辺長とその幅が等しく且その高さが底板直径より長く、而もその両側縁に嵌合凸部並びに嵌合凹部が形成された壁面板材を相互に寄せ木嵌合させて、底板と一体的で且その形状が四角柱状、六角柱状若しくは八角柱状で且上端に開口部及び所要の貯留容量の酒溜体を形成し、更に開口部には開閉蓋並びに酒溜体の外面対称的位置にその端縁が固定されたうえ開閉蓋を跨渡して把手部が形成され、且酒溜体の下部位には分柱栓が設けられた構成。【選択図】  図５
2005342473.tif 000002
【特許請求の範囲】
【請求項１】
食品衛生上安全で芳香性と抗菌性を保持する木板材からなり、所要の大きさで且四角形若しくは六角形或いは八角形に形成された底板と、その幅が底板の一辺長と等しく且その高さが底板の直径より長く、而もその両側縁には隣接する相互の嵌合凸部と嵌合凹部とが寄せ木嵌合できるようそれぞれ対称的に形成されてなる壁面板材と、底板と一体的に且隣接する相互の嵌合凸部と嵌合凹部とが寄せ木嵌合されて形成され、而も開口部と所要の貯留容量を有する四角柱状若しくは六角柱状或いは八角柱状の酒溜体と、酒溜体の開口部に着脱自在に設けられ且その表面中央に開閉つまみを有する開閉蓋と、酒溜体の外面対称的位置に把持柱の端縁が固定され若しくは可動自在に装着され、且開閉蓋を跨渡して把持柱の先端近傍に把持桁が嵌入された把持部と、酒溜体の下部位適宜位置にはその一方側の内部中央には流通孔が貫通形成されてなる装着部が装着され、且他方側には流通孔と交差連通し垂直状で且上部より下部に向って孔径が狭められ、而もその下端には流通孔よりは孔径の大きな分注口を有する分注開閉孔が形成されたうえ下方に屈曲してなる分注部、及び該分注開閉孔内にはその上部にノブを有し装脱自在に、且装着時には流通孔と密着して酒の流通を遮断する遮断部材とによる遮断コックが装着された分注栓とから構成される酒の分注器。
【請求項２】
六角柱状若しくは八角柱状に寄せ木嵌合される壁面板材の嵌合凸部並びに嵌合凹部の一側面には、鈍角による嵌合形成で酒溜体外面に壁面板材嵌合縁の突出を防止する嵌合調整テーパーが設けられてなる請求項１記載の酒の分注器。
【請求項３】
酒溜体の開口部を傾斜開口部に形成させるため、連接嵌合される壁面板材の上端に傾斜縁が所要の勾配を以って形成されてなる請求項１若しくは請求項２記載の酒の分注器。
【請求項４】
分注栓がステンレス管材を用い、一方側の装着基部が酒溜体と装着され且他方側が下方に屈曲されその端縁に注酒口を設けて注酒部が形成され、而もその中間部位には９０度の角度範囲で可動可能な把手開閉弁が設けられ、且これら外面全体が木板材で被覆された複合分注栓が用いられる請求項１乃至請求項３記載の酒の分注器。
【請求項５】
酒溜体の内面適宜位置に所要の突出幅で係止部が形成され、ステンレス板材よりなりその内部に所要量の氷を収納する収納部を有し、且上端が係止部に係止される直径に拡張された拡張開口縁を有する保冷具が装脱自在に装着される、請求項１乃至請求項４記載の酒の分注器。
【請求項６】
酒溜体の内面適宜位置に所要の突出幅で係止部が形成されてなり、その内部に所要量のフレーバーチップを収納でき且貯留される酒が容易に侵入接触しえる網地体からなり、而も該網地体を係止縁に係止させるためその上端に係止枠体が形成されたフレーバー拡散袋が装脱自在に装着される請求項１乃至請求項４記載の酒の分注器。
【発明の詳細な説明】
【技術分野】
【０００１】  本発明は、発酵酒や蒸留酒等の酒を分注するための分注器に係るもので、更に詳しくは貯留された酒を長時に安定して且芳醇さを増長させ、而も簡便に分注ができる酒の分注器に関する。
【背景技術】
【０００２】  今日では生活水準が著しく向上したことに伴って飲食に係る酒自体や料理自体はもとより酒器や食器或いは調度品はもとより飲食場所の雰囲気や環境等にまで亘って高級化や個性化が求められている。【０００３】  ところで料理特には酒肴においては流通の進展に伴い食材は自在に入手出来る状況にあり、旬の食材を用いて創作料理としたり地方料理や田舎料理となし、或いは和風食材を用いて洋風化の調理をなす等特異性や個性化を図ることが積極的になされており、且店舗内装も郷土色や農家風或いは漁師風に凝らすことがなされ、特に都市部における飲食店舗等においては不可欠の要件とされるに至っている。【０００４】  他方酒は発酵酒はもとより蒸留酒においてもその醸造若しくは蒸留には長時間を要するばかりかその仕込量も多量に亘り、且一旦醸造若しくは蒸留された酒はその風味やコク、フレーバー等の芳醇さが特定され、この芳醇さの優劣で販売消費も大きく左右される。
これがため醸造や蒸留に先立って使用原料や水の厳選を初め、醸造や蒸留専門技術者の確保並びに醸造や蒸留管理を徹底して、それぞれに甘さや辛さを初め、コク、旨み、フレーバー等の最良で且特徴ある酒を生産している。【０００５】  しかしながらこれら最良で特徴ある酒も、その消費態様は殆んどが小口で且広範囲に亘るため、物流上の扱い面から専ら壜詰とされるため、芳醇さを創出する発酵菌類の熟成が制約され、而もこの壜詰された酒も飲酒に際しては陶磁器やガラス等の徳利や銚子若しくはピッチャーに移酒し且盃やグラス等で飲酒するため、最良且特徴ある酒の風味やコク、旨み特にはフレーバー等が移酒や分注時に逸散減失され、更には特段の雰囲気等が創出される余地も無い。【０００６】  加えて壜詰の如き口細な容器より徳利や銚子或いはピッチャー等に移酒や分注する場合には、慎重に且緩やかになさぬと注ぎ零しが多量に発生し、特に多人数に亘る飲酒がなされる飲酒店舗等では多大な手間と時間が強いられる結果ともなっている。【０００７】  かかる実情に鑑み発明者等は研究を重ねた結果、食品衛生上安全で且フレーバーを増長せしむる芳香性と抗菌性を保持する木板材を用いて四角形や六角形若しくは八角形状に寄せ木嵌合させて開口部と所要貯留容量の酒溜体を形成し、而もその開口部に開閉蓋と且下部位適宜位置に分注のための分注栓を形成させ、壜詰された酒を該酒溜体内に貯留させて飲酒毎に分注栓より分注させることにより、酒の芳醇さを増長でき而も自然感や意匠感に溢れる雰囲気で賞味飲酒できることを究明し本発明に至った。
【発明の開示】
【発明が解決しようとする課題】
【０００８】  本発明は瓶や樽若しくは壜より容易に移酒でき、且貯留された酒を長時に安定して而もフレーバーを増長せしめたうえ簡便に分注して美味しく飲酒できる分注器を提供することにある。
【課題を解決するための手段】
【０００９】  上述の課題を解決するために本発明が用いた手段は、酒の種類により適合するフレーバーと且抗菌性を保持する木板材を用い、該木板材の自然感や温り感と且木板材の縦目や横目の色調差並びに寄せ木嵌合による特異な意匠感を創出せしめて、自然感と安らぎの雰囲気で飲酒をなさしめるため、該木板材を四角形若しくは六角形或いは八角形状に形成して底板となすとともに、該底板の一辺長とその幅が等しく且底板の直径よりその高さが長く、而もその両側縁には隣接する相互の両側縁を寄せ木嵌合させることにより、上端に開口部と且その内部に所要貯留容量の貯留部を有する縦長の四角柱若しくは六角柱或いは八角柱状の酒溜体を形成しえるよう、それぞれの両側縁には嵌合凸部と嵌合凹部とが対称的に形成された壁面板材を嵌合させて且底板と一体的に酒溜体が形成されている。【００１０】  そしてこの酒溜体の開口部には壜詰等による酒を移酒し、且貯留された酒に木板材よりなる酒溜体のフレーバーを十分に浸出含着せしむること及び塵埃等の混入防止と、更には外気温度の変化を遮断させるために着脱自在な開閉蓋が設けられ、且この酒溜体を適宜場所に移動し配置させるため、その端縁が酒溜体の対称的位置に固定され若しくは可動自在に装着され、且開閉蓋を跨渡するような形状及び長さをもって把持部が設けられてなり、加えて酒溜体の下部位適宜位置には木板材よりなり、貯留された酒を所要の分注量で分注させるための分注栓が装着されてなる構成に存する。【００１１】  更に酒は飲用温度によって芳醇さや風味を異にするものであるから、低温に加冷させる手段も考慮されてなるもので、酒溜体内面に所要の幅を以って内側に係止突縁が設けられたうえ、ステンレス板材よりなりその内部に所要量の氷を収納させる収納部が形成され、而もその開口部が係止突縁で係止されるような係止縁部を有する保冷具を装脱自在に設けてなる構成に存する。【００１２】  加えて酒はその使用原材料や水を初め醸造方法や蒸留方法により芳醇さや風味を異にするものであるから、酒の種類に適合したフレーバーを浸出含着させることが極めて好都合である。
これがため、その内部に所要量の適宜フレーバーチップを収納しえ且貯留された酒が自在に流入流出しえる透通性を保持した網状物からなり、而もその上端には前記係止突縁に係止しえる係止枠が形成されたフレーバーチップ収納篭が着脱自在に装着させて、酒の種類に合せて適合するフレーバーを浸出含着させることにより一段と美味しく飲酒させる構成に存するものである。
【発明の効果】
【００１３】  本発明は上述の如き手段を用いてなるもので、食品衛生上安全で且芳香性と抗菌性を保持する木板材を用い、所要の大きさの四角形若しくは六角形或いは八角形の底板と、該底板の一辺長とその幅が等しく且その高さが底板の直径より長く、而もその両側縁には隣接する相互を寄せ木嵌合できるよう嵌合凸部及び嵌合凹部が形成された壁面板材を、嵌合させ且底板と一体的に四角柱状若しくは六角柱状或いは八角柱状に形成されるため、実質的に縦長で開口部を有し且所要の貯留容量の酒溜体が形成され、而も開口部には着脱自在に開閉蓋が設けられるため、該酒留体内に移酒された酒は密閉状に保持され木板材内に浸透し、芳香成分が浸出含着されて酒のフレーバーが著しく高められる。【００１４】  加えて酒溜体を形成する木板材は抗菌作用を保持するため、長時の貯留使用に際しても細菌類特には空中落下菌の付着繁殖が抑制されて風味が損われる恐れもなく且衛生的に保持されるばかりか、木板材は断熱効果が高く外部温度変化に影響されることなく長時に亘って風味や芳醇さが保持され保存ができる。【００１５】  更に酒溜体の下部位適宜位置には木板材よりなる分注栓が設けられてなるから、多数の飲用に際しても分注栓の開閉のみで注ぎ零しなく簡便に分注がなしえ、而も外形全体に亘って寄せ木嵌合により嵌合された四角柱状や六角柱状或いは八角柱状の表面には、木板材の縦目及び横目による色調差と嵌合模様とのコントラストによる自然感と且特異な美観も現出される。【００１６】  加えて本発明は、酒溜体内部にステンレス板材を用いた熱伝導性の高い素材を用い、その内部に所要量の氷に収納される収納部を有した保冷具が装着されるため、貯留される酒が適宜の低温度に保冷されて、低温度における酒の風味や芳醇さを十分に賞味でき、而も該酒溜体内部に多様なフレーバーを浸出させ含着させるフレーバーチップが収納されるフレーバーチップ収納篭を係止突縁に係止させ装着させることにより貯留されてなる酒にフレーバーチップ収納篭内から、多種多様なフレーバーが浸出含着されて一段と美味しく賞味することが可能となる。
【発明を実施するための最良の形態】
【００１７】  食品衛生上安全で芳香性と抗菌性を有する木板材を用い、四角形や六角形若しくは八角形に形成された底板と、該底板の一辺長と等しい幅と且底板の直径より長い高さで、且その両側縁には隣接する相互を寄せ木嵌合させて実質的に縦長状の四角柱や六角柱若しくは八角柱で、而も開口部と所要の貯留容量を以って嵌合形成される嵌合凸部と嵌合凹部が対称的に形成された壁面板材とにより一体的に酒溜体が形成され、更に開口部には着脱自在な開閉蓋が装着され且酒溜体の対称的二外面の適宜位置に、その端縁が固定され若しくは可動自在に装着され開閉蓋を跨渡するよう把手部が設けられ、而も酒溜体の下部位適宜位置には分注のための分注栓が設けられた構成の酒の分注器。
【実施例】
【００１８】  以下に本発明実施例を図とともに説明すれば、図１は本発明を形成する木板材の見取図、図２は六角形による底板の見取図、図３は壁面板材の説明図であって本発明は発酵酒や蒸留酒を長時間貯留させ分注させるために使用するものであるから、食品衛生上安全で且貯留される酒に木板材特有のフレーバーを浸出含着せしめて芳醇さを高め、而も長時の使用に際して空中落下菌等の付着繁殖で汚染されることのないよう、芳香性と抗菌性を有する木板材１が使用される。【００１９】  この場合の木板材１は芳香性の面からは桧、杉、大島桜、山桜が好適であり、更に抗菌性の面からは桧や白樺或いは銀杏等が好適であって、留意すべきはこれら木板材１よりも強い芳香性や抗菌性を有する楠や樒或いは匂桧葉等は酒の微妙な芳醇さを却って阻害する結果となることである。【００２０】  かくして選択された木板材１は所要の大きさの四角形若しくは六角形或いは八角形に切断して底板２が形成される。
この底板２は嵌合形成される酒溜体４を多様なデザイン形状、即ち四角柱状や六角柱状若しくは八角柱状に形成させるうえから四角形若しくは六角形或いは八角形に形成されるもので、且該底板２の大きさは酒溜体４の貯留容量及び使用する壁面板材３の厚さによっても異るが、嵌合形成される酒溜体４の貯留容量を１．８ｌとした場合においては、壁面板材３の厚さが１２ｍｍの場合には底板２の大きさは１２ｃｍ平方乃至１６ｃｍ平方即ち１４４乃至２５６ｃｍ２程度が目安となる。無論かかる場合における底板２の厚さは１２ｍｍ若しくはそれ以上の厚さの木板材１を使用することが望ましい。【００２１】  そしてこの底板２の上面には、図３に示す如く該底板２の一辺長２Ａとその幅が等しく且その高さが該底板２の直径２Ｂ即ち対角線長より長く、且その両側縁には隣接する相互の壁面板材３のうち、連接して配置される一方の壁面板材３Ａには嵌合凸部３０Ａ並びに嵌合凹部３１Ａがそれぞれ対称的に形成されてなり、更にこの一方の壁面板材３Ａと連接配置される他方の壁面板材３Ｂにはそれぞれ嵌合凹部３０Ｂ並びに嵌合凸部３１Ｂが対称的に形成されている。【００２２】  無論該壁面板材３の両側縁を寄せ木嵌合させる場合に、図４に示す如く四角柱状以外の六角柱状若しくは八角柱状に嵌合させる場合には一方の壁面板材３Ａの嵌合凸部３０Ａや嵌合凹部３１Ａと嵌合される他方の壁面板材３Ｂに形成された嵌合凹部３０Ｂや嵌合凸部３１Ｂとの嵌合が鈍角に交差し嵌合されるため、嵌合部の外面に嵌合縁が突出するばかりか密着嵌合がなされず貯留される酒の漏出の危険も発生する。
これがため六角柱状や八角柱状に嵌合させる壁面板材３Ａや３Ｂの両側縁に形成される嵌合凸部３０Ａや嵌合凹部３１Ａ、或いは嵌合凹部３０Ｂや嵌合凸部３１Ｂには、交差鈍角に適合するよう嵌合調整テーパー３Ｃがそれぞれ形成されている。【００２３】  かくしてなる連接する壁面板材３Ａと壁面板材３Ｂとの嵌合凸部３０Ａと嵌合凹部３１Ａ並びに嵌合凹部３０Ｂと嵌合凸部３１Ｂとを相互に寄せ木嵌合させることにより、図４に示す如き底板２と一体的に酒溜体４が形成される。
かかる場合に、底板２との一体化には食品安全性の高い手段が望まれるため、好ましくは水性イソシアネート接着剤による接着方法や、相互の嵌合部分と底板２とを貫通するよう適宜孔径を以って穿孔させたうえ木くぎで貫入固定させる方法が挙げられる。【００２４】  壁面板材３Ａ並びに壁面板材３Ｂが同一の高さのもので嵌合された場合には、当然に形成される酒溜体４の開口部４Ａは水平状に形成されることとなるが外形デザインの面からは、その開口部４Ａが前部に対し後部の高さを高く形成させて傾斜開口部（図示せず）とすることも望まれる。
かかる要請に対しては、図３の点線で示すように壁面板材３Ａ及び壁面板材３Ｂの上端に傾斜縁３Ｄを所望の勾配を以って形成させたうえ連接嵌合することにより対処できる。【００２５】  図５は本発明酒の分注器８の説明図であって、底板２と一体的に壁面板材３が相互に寄せ木嵌合されて形成される酒溜体４の上端開口部４Ａには、移酒させ貯留される酒に木板材１のフレーバーを浸出含着させて芳醇さを高めることを初め、空中落下菌や塵埃等の混入防止、或いは外気温の変化に際しても略一定の条件で保持させるため着脱自在に開閉蓋５が設けられている。
この開閉蓋５は、木板材１を用いて着脱自在に開口部４Ａを密閉できるものであれば特段の制約はなく、且その表面中央に適宜形状の開閉つまみ５Ｂを形成しておくことが望まれる。【００２６】  加えて酒溜体４の外面の対称的適宜位置には、本発明酒の分注器８を適宜場所に容易に移動できるよう、その端縁６Ａが固定され若しくは可動自在に装着されたうえ開閉蓋５の開閉並びに移酒に際して支障が無い程度の高さを以って、該開閉蓋５を跨渡するよう把手部６が形成されてなるもので、当然に該把手部６も木板材１が用いられるもので、その形状や固定若しくは装着方法には特段の制約はないが、具体的には対称的位置にその端縁６Ａを接着剤若しくは木くぎ等で固定させた把持柱６Ｂ、６Ｂの上端近傍に把持桁６Ｃを嵌入させたものが挙げられる。【００２７】  更に酒溜体の下部位適宜位置には、貯留された酒を所要量で且多数に亘って分注させるための分注栓７が設けられてなるもので、該分注栓７は図６に示すように、その全体が木板材１を用いて形成されるとともに、その一側には内部中央に貯留された酒を流通させ分注させるための流通孔７Ｂが貫通形成された装着部７Ａが酒溜体４内と連通するよう壁面板材３と装着されており、且他側には該流通孔７Ｂと交差連通されるよう垂直方向に而も上部から下部に向って順次その孔径が狭められたうえ、而も下端には流通孔７Ｂより実質的に孔径の大きな分注口７Ｃを有する分注開閉孔７Ｄが形成された分注部７Ｅが、下方に屈曲された形状で形成されている。加えてこの分注開閉孔７Ｄ内には押引により若しくは螺回により開閉をなすために、その上部にノブ７Ｆを有し且その下部には分注開閉孔７Ｄ内に装脱自在で且装着時には交差連通される流通孔７Ｂと密着して酒の流通を遮断しえる遮断部材７Ｇを有する遮断コック７Ｈが装着されてなるものである。【００２８】  本発明酒の分注器８はかかる如き構成よりなるものであるが、本発明酒の分注器８においては広範な実用使用に対処しえるように、更に次なる技術手段が配慮されている。
即ち本発明酒の分注器８は所要量で且多数に分注させて飲用させるために使用されるものであるから、比較的多数の分注飲酒がなされる店舗や宴会場等では酒溜体４の貯留容量を少なくとも３．６乃至１０ｌ程度で貯留させておくことが移酒作業の削減のうえからも好都合となるが、多量の貯留に際しては酒の貯留圧も大きくなり分注栓７における分注時に流通孔７Ｂ内はもとより分注栓７に高い流圧が付加される。【００２９】  反面該分注栓７が木板材１で形成されてなるものでは、分注量を調節する分注開閉孔７Ｄとその内部に装着される遮断コック７Ｈが分注に際して酒の吸水に伴い膨張し且或いは乾燥に際して減縮するために僅かな間隙を生じた場合にも高い流圧により酒の滲みや漏出の発生が危惧されることとなる。【００３０】  これがため図６のＢにおいて示すようにステンレス管材７１を用いて一方側に装着基部７１Ａを、且他方側を下方に屈曲させてその端縁に注酒口７１Ｂを設けて注酒部７１Ｃとなすとともに、その中間部位には９０度の角度範囲に可動可能な把手開閉弁７１Ｄを設けたうえ、該把手開閉分７１Ｄをステンレス管材７１と同方向となした場合にステンレス管材７１内の流路７２と該把手開閉弁７１Ｄの下部位に形成された流通口７３とが連通されて酒の分注がなされ、且把手開閉弁７１Ｄをステンレス管材７１と横断方向に可動させることにより流路７２が遮断されるよう構成され、而もこれら外面全体が木板材１で被覆された複合注酒栓７０の使用が提案される。【００３１】  更に酒はその醸造手段や蒸留手段によってそれぞれ微妙に風味や芳醇さを異にするものであるばかりか、発酵酒の清酒や蒸留酒の焼酎や泡盛等における冷やで若しくは燗により飲用し、或いはワインにおける白ワインの保冷や赤ワインの常温飲用の如く、その温度条件によっても風味や芳醇さが変化するものであり、且今日ではこの変化に対しても強く希求されている状況にある。【００３２】  これがため図７に示す如く、本発明においては貯留された酒を保冷させて一段と美味しく賞味飲酒がなしえるよう、酒溜体４の内面適宜位置には所要の突出幅を以って係止部９Ａを形成させたうえ、熱伝導性が高く且酒を変質させぬ安定した素材としてステンレス板材を用いて、その内部に所要量の氷が収納しえる収納部９Ｂを有し而も上端が前記係止部９Ａにより係止できるような直径に拡張された拡張開口縁９Ｃを有する保冷具９が装脱自在に装着される構成も採用される。【００３３】  加えて本発明酒の分注器８においては長期に使用した場合に、その使用頻度や木板材１の性質によっても異なるが貯留される酒へのフレーバーの浸出含着が減失すること、及び貯留される酒が発酵酒や蒸留酒等多岐に亘って使用される場合には、当然に使用する木板材１としてはなるべく芳香性の弱い杉板材等の使用が望まれる反面、貯留される酒にはフレーバーを浸出含着させてより美味しく賞味飲酒させることは最も望まれるところである。【００３４】  そこでかかる問題への対処として図８に示すように前記酒溜体４の内面適宜位置に形成された係止部９Ａに、その内部に所要量のフレーバーチップ１０Ａを収納でき、且貯留される酒が容易に浸入接触されるような網地体１０Ｂで形成され、而もその上端開口部にはフレーバーチップ１０Ａが収納された網地体１０Ｂを、係止部９Ａに係止させるための係止枠１０Ｃが形成されたフレーバー拡散袋１０が装着される構成よりなる。
かかる場合に網地体１０Ｂとしてはステンレス線条や合成繊維により織成された粗目の織物や編成した網地が使用できフレーバーチップ１０Ａの素材としては桧、杉、大島桜、山桜や白樺、銀杏、檪、▲ぶな▼、欅等が挙げられ、且その大きさは略１乃至２ｃｍ立方程度のものが好都合である。
【産業上の利用可能性】
【００３５】  本発明酒の分注器は、その内部に発酵酒や蒸留酒を貯留させることにより分注が簡便になされるとともにフレーバーが浸出含着されて一段と美味しく賞味飲酒ができるばかりか、外形面に木板材の自然感や温りとともに木板材の縦目と横目の色調差並びに寄せ木嵌合による特異な模様が現出されるため室内装飾品や調度品としての利用もできる。
【図面の簡単な説明】
【００３６】
【図１】  木板材の見取図である。
【図２】  六角形の底板の見取図である。
【図３】  壁面板材の説明図である。
【図４】  酒溜体の説明図である。
【図５】  本発明酒の分注器の説明図である。
【図６】  分注栓の断面説明図である。
【図７】  保冷具の説明図である。
【図８】  フレーバー拡散の説明図である。
【符号の説明】
【００３７】    １    木板材
２    底板
２Ａ  底板の一辺長
２Ｂ  底板の直径
３    壁面板材
３Ａ  一方の壁面板材
３Ｂ  他方の壁面板材
３０Ａ  一方の壁面板材の嵌合凸部
３１Ａ  一方の壁面板材の嵌合凹部
３０Ｂ  他方の壁面板材の嵌合凹部
３１Ｂ  他方の壁面板材の嵌合凸部
３Ｃ  嵌合調整テーパー
３Ｄ  傾斜縁
４    酒溜体
４Ａ  酒溜体の開口部
５    開閉蓋
５Ａ  開閉つまみ
６    把持部
６Ａ  端縁
６Ｂ  把持柱
６Ｃ  把持桁
７    分注栓
７Ａ  装着部
７Ｂ  流通孔
７Ｃ  分注口
７Ｄ  分注開閉孔
７Ｅ  分注部
７Ｆ  ノブ
７Ｇ  遮断部材
７Ｈ  遮断コック
７０    複合分注栓
７１    ステンレス管
７１Ａ  装着基部
７１Ｂ  注酒口
７１Ｃ  注酒部
７１Ｄ  把持開閉弁
７２    流路
７３    流通口
８    本発明酒の分注器
９    保冷具
９Ａ  係止部
９Ｂ  収納部
９Ｃ  拡張開口縁
１０    フレーバー拡散袋
１０Ａ  フレーバーチップ
１０Ｂ  網地体
１０Ｃ  係止枠
【図１】
2005342473.tif 000003
【図２】
2005342473.tif 000004
【図３】
2005342473.tif 000005
【図４】
2005342473.tif 000006
【図５】
2005342473.tif 000007
【図６】
2005342473.tif 000008
【図７】
2005342473.tif 000009
【図８】
2005342473.tif 000010